(57)【要約】【課題】机面上の投影面にも、壁面や壁面上の投影面にも画像を投射することができる兼用型であり、かつ、使用環境に応じて投影状態の切り換えを柔軟かつ容易に行うことのできる使用者の利便性の高い投影装置を提供すること。【解決手段】画像情報に基づいた画像を投影面Ｓに投射する投影装置Ａにおいて、原画像の情報を入力する入力部２０と、前記投影面Ｓとの距離の情報を取得する距離情報取得部３８と、前記原画像もしくは前記原画像に付加情報を加えた画像を入力画像とし、前記投影面Ｓとの距離が所定範囲内であるときには前記入力画像における画像領域全体を選択し、前記投影面Ｓとの距離が前記所定範囲以外のときには前記入力画像における画像領域のうち一部の画像領域の画像情報を部分的に選択する画像情報選択部４１と、前記画像情報選択部４１により選択した画像情報に基づいた画像を投影画像とし、前記投影面Ｓに投射する投射部Ｌとを備えた。【選択図】図３
2007274522.tif 000002
【特許請求の範囲】
【請求項１】
画像情報に基づいた画像を投影面に投射する投影装置において、
原画像の情報を入力する入力部と、
前記投影面との距離の情報を取得する距離情報取得部と、
前記原画像もしくは前記原画像に付加情報を加えた画像を入力画像とし、前記投影面との距離が所定範囲内であるときには前記入力画像における画像領域全体を選択し、前記投影面との距離が前記所定範囲以外のときには前記入力画像における画像領域のうち一部の画像領域の画像情報を部分的に選択する画像情報選択部と、
前記画像情報選択部により選択した画像情報に基づいた画像を投影画像とし、前記投影面に投射する投射部と、
を備えたことを特徴とする投影装置。
【請求項２】
前記画像情報選択部により選択した前記一部の画像領域の画像情報を、前記入力画像サイズとは異なったサイズに変換する画像サイズ処理部を備え、
前記投射部は、前記画像サイズ処理部によって変換された画像を投影画像とし、前記投影面に投射することを特徴とする請求項１に記載の投影装置。
【請求項３】
前記投影面との距離を検出する距離情報検出部を備え、
前記距離情報取得部は、前記距離情報検出部により検出された前記投影面との距離の情報を取得することを特徴とする請求項１又は請求項２に記載の投影装置。
【請求項４】
前記投影面との距離の情報を設定入力するための距離情報入力部を有し、
前記距離情報取得部は、
前記距離情報入力部から設定入力された前記投影面との距離の情報を取得することを特徴とする請求項１から請求項３のいずれか一項に記載の投影装置。
【請求項５】
前記距離情報取得部は、前記距離情報検出部により検出された前記投影面との距離の情報または前記距離情報入力部に設定入力された前記投影面との距離の情報のいずれか一方を選択取得することを特徴とする請求項４に記載の投影装置。
【請求項６】
前記画像情報選択部は、
前記入力画像の画像領域をｎ分割（ｎは整数）して得た少なくとも１分割分の領域を、前記一部の画像領域の画像情報として選択することを特徴とする請求項１から請求項５のいずれか一項に記載の投影装置。
【請求項７】
前記画像情報選択部は、
前記投影面との距離に応じて、前記入力画像の画像領域を分割する数を決定することを特徴とする請求項６に記載の投影装置。
【請求項８】
前記入力画像の画像領域のうち一部の領域を指定する投影画像範囲指定手段を有し、
前記画像情報選択部は、
前記投影画像範囲指定手段によって指定された前記入力画像の任意の領域を距離に基づいて、前記一部の画像領域の画像情報として選択することを特徴とする請求項１から請求項７のいずれか一項に記載の投影装置。
【請求項９】
前記入力部から原画像の画像情報を取得し、前記入力画像として当該原画像の画像領域に隣接する領域に前記付加情報を加えた画像を生成する画像付加部を備え、
前記画像情報選択部は、前記付加情報を除いた前記入力画像を、前記一部の画像領域の画像情報として選択することを特徴とする請求項１から請求項５のいずれか一項に記載の投影装置。
【請求項１０】
前記入力部は、
通信ネットワークから文字データを含むメタデータ及び画像データを原画像の情報として取得する通信インターフェイスを含み、
前記入力部より取得したメタデータを前記入力画像に変換するアプリケーション処理部を有し、
前記アプリケーション処理部は、
前記投影面との距離が所定範囲以外のときには、前記メタデータに基づいて、前記入力画像における画像領域のうち一部の画像領域の画像情報を選択することを特徴とする請求項１から請求項５のいずれか一項に記載の投影装置。
【請求項１１】
前記アプリケーション処理部は、
前記メタデータに複数のフレーム情報が含まれると判定すると、前記複数のフレーム情報のうち少なくとも一つのフレーム情報を除いた画像情報を、前記一部の画像領域の画像情報として選択することを特徴とする請求項１０に記載の投影装置。
【請求項１２】
前記アプリケーション処理部は、
前記メタデータに基づいて、前記原画像の情報のうち文字データ及び画像データのうちいずれか一方の情報を、前記一部の画像領域の画像情報として選択することを特徴とする請求項１０又は請求項１１に記載の投影装置。
【請求項１３】
前記アプリケーション処理部は、
前記メタデータに基づいて、前記原画像の情報のうち特定の文字データ及び画像データを除いた情報を、前記一部の画像領域の画像情報として選択することを特徴とする請求項１０から請求項１２のいずれか一項に記載の投影装置。
【請求項１４】
前記アプリケーション処理部は、前記入力部から原画像の画像情報を取得し、当該原画像の画像領域に隣接する領域に付加情報としての付加画像情報を加えた画像を入力画像情報とし、前記投影面との距離が所定範囲内であるときには、前記入力画像の画像情報を選択し、前記投影面との距離が所定範囲以外のときには当該投影面との距離に応じて前記入力画像における画像領域のうち前記付加画像情報を除いた画像情報を選択することを特徴とする請求項１０から請求項１３のいずれか一項に記載の投影装置。
【発明の詳細な説明】
【技術分野】
【０００１】
本発明は、画像情報に基づいた画像をスクリーンなどの投影面に投射するプロジェクタなどの投影装置に関する。
【背景技術】
【０００２】
従来から画像情報に基づいた画像をスクリーンなどの投影面に投射するプロジェクタなどの投影装置が知られている。特に壁面を投影面として映像を投射するものが会議などで頻繁に使用されるようになってきており、このような投影装置は、壁面又は壁面に平行なスクリーンをその投影面とするため、投影面のスペースが必要となる。
【０００３】
そこで、会議などで使用する机の上において使用する卓上型投影装置が提案されており、このような卓上型投影装置は机上に載置され、投射部により、机面上のスクリーンに投射するように構成されている（たとえば、特許文献１参照）。
【特許文献１】特開２００３−２８００９１号公報
【発明の開示】
【発明が解決しようとする課題】
【０００４】
ところで、近年、上記卓上型投影装置に対し、机面上のスクリーンだけでなく、例えば、机面に垂直な壁面上のスクリーンに対しても映像を投影可能にしたいとの要請がある。
【０００５】
しかし、上記卓上型投影装置のような、従来公知の卓上型投影装置において、壁面や壁面上のスクリーンに映像を投影することができるものは知られていない。よって、机面上のスクリーンにも、壁面や壁面上のスクリーンにも映像を投影することができる投影装置の開発が待たれているところである。
【０００６】
かかる投影装置を開発するにあたって、次の問題が生じることが考えられる。
【０００７】
すなわち、かかる投影装置にあっては、使用環境に応じて投影状態の切り換えをすることが困難であるとの問題がある。例えば、机面上のスクリーンに対して映像を投影していたところ、その映像を壁面上のスクリーンに投影したい場合には、投影装置とスクリーンの投影距離が大きくなることで投射画像の投射範囲が大きく拡がるので、スクリーン内に投影画面が納まらなくなるため、その投射画像は、使用者にとって極めて見づらくなる。
【０００８】
その際に、使用者が投影装置自体を移動して投影装置とスクリーンの間の距離を適正化することや、レンズを操作し画面表示を見やすく調整する構成も考えられるが、かかる操作は煩雑であり、しかも使用者の希望通りの投射画像を得るよう調整することは困難である。また、投影画面はスクリーンサイズに合わせ縮小する場合、細かい文字や画像は使用者にとって見づらいものとなる。
【０００９】
そこで、本発明は、使用環境に応じて投影状態の切り換えを柔軟かつ容易に行うことのできる使用者の利便性の高い投影装置を提供するものである。
【課題を解決するための手段】
【００１０】
請求項１に記載の発明は、画像情報に基づいた画像を投影面に投射する投影装置において、原画像の情報を入力する入力部と、前記投影面との距離の情報を取得する距離情報取得部と、前記原画像もしくは前記原画像に付加情報を加えた画像を入力画像とし、前記投影面との距離が所定範囲内であるときには前記入力画像における画像領域全体を選択し、前記投影面との距離が前記所定範囲以外のときには前記入力画像における画像領域のうち一部の画像領域の画像情報を部分的に選択する画像情報選択部と、前記画像情報選択部により選択した画像情報に基づいた画像を投影画像とし、前記投影面に投射する投射部と、を備えたことを特徴とする。
【００１１】
請求項２に記載の発明は、請求項１に記載の発明であって、前記画像情報選択部により選択した前記一部の画像領域の画像情報を、前記入力画像サイズとは異なったサイズに変換する画像サイズ処理部を備え、前記投射部は、前記画像サイズ処理部によって変換された画像を投影画像とし、前記投影面に投射することを特徴とする。
【００１２】
請求項３に記載の発明は、請求項１又は請求項２に記載の発明であって、前記投影面との距離を検出する距離情報検出部を備え、前記距離情報取得部は、前記距離情報検出部により検出された前記投影面との距離の情報を取得することを特徴とする。
【００１３】
請求項４に記載の発明は、請求項１から請求項３のいずれか一項に記載の発明であって、前記投影面との距離の情報を設定入力するための距離情報入力部を有し、前記距離情報取得部は、前記距離情報入力部から設定入力された前記投影面との距離の情報を取得することを特徴とする。
【００１４】
請求項５に記載の発明は、請求項４に記載の発明であって、前記距離情報取得部は、前記距離情報検出部により検出された前記投影面との距離の情報または前記距離情報入力部に設定入力された前記投影面との距離の情報のいずれか一方を選択取得することを特徴とする。
【００１５】
請求項６に記載の発明は、請求項１から請求項５のいずれか一項に記載の発明であって、前記画像情報選択部は、前記入力画像の画像領域をｎ分割（ｎは整数）して得た少なくとも１分割分の領域を、前記一部の画像領域の画像情報として選択することを特徴とする。
【００１６】
請求項７に記載の発明は、請求項６に記載の発明であって、前記画像情報選択部は、前記画像情報選択部は、前記投影面との距離に応じて、前記入力画像の画像領域を分割する数を決定することを特徴とする。
【００１７】
請求項８に記載の発明は、請求項１から請求項７のいずれか一項に記載に記載の発明であって、前記入力画像の画像領域のうち一部の領域を指定する投影画像範囲指定手段を有し、前記画像情報選択部は、前記投影画像範囲指定手段によって指定された前記入力画像の任意の領域を距離に基づいて、前記一部の画像領域の画像情報として選択することを特徴とする。
【００１８】
請求項９に記載の発明は、請求項１から請求項５のいずれか一項に記載に記載の発明であって、前記入力部から原画像の画像情報を取得し、前記入力画像として当該原画像の画像領域に隣接する領域に前記付加情報を加えた画像を生成する画像付加部を備え、前記画像情報選択部は、前記付加情報を除いた前記入力画像を、前記一部の画像領域の画像情報として選択することを特徴とする。
【００１９】
請求項１０に記載の発明は、請求項１から請求項５のいずれか一項に記載に記載の発明であって、前記入力部は、通信ネットワークから文字データを含むメタデータ及び画像データを原画像の情報として取得する通信インターフェイスを含み、前記入力部より取得したメタデータを前記入力画像に変換するアプリケーション処理部を有し、前記アプリケーション処理部は、前記投影面との距離が所定範囲以外のときには、前記メタデータに基づいて、前記入力画像における画像領域のうち一部の画像領域の画像情報を選択することを特徴とする。原画像における画像領域のうち一部の画像領域の画像情報を選択することを特徴とする。
【００２０】
請求項１１に記載の発明は、請求項１０に記載に記載の発明であって、前記アプリケーション処理部は、前記メタデータに複数のフレーム情報が含まれると判定すると、前記複数のフレーム情報のうち少なくとも一つのフレーム情報を除いた画像情報を、前記一部の画像領域の画像情報として選択することを特徴とする。
【００２１】
請求項１２に記載の発明は、請求項１０又は請求項１１に記載の発明であって、前記アプリケーション処理部は、前記メタデータに基づいて、前記原画像の情報のうち文字データ及び画像データのうちいずれか一方の情報を、前記一部の画像領域の画像情報として選択することを特徴とする。
【００２２】
請求項１３に記載の発明は、請求項１０から請求項１２のいずれか一項に記載の発明であって、前記アプリケーション処理部は、前記メタデータに基づいて、前記原画像の情報のうち特定の文字データ及び画像データを除いた情報を、前記一部の画像領域の画像情報として選択することを特徴とする。
【００２３】
請求項１４に記載の発明は、請求項１０から請求項１３のいずれか一項に記載の発明であって、前記アプリケーション処理部は、前記入力部から原画像の画像情報を取得し、当該原画像の画像領域に隣接する領域に付加情報としての付加画像情報を加えた画像を入力画像情報とし、前記投影面との距離が所定範囲内であるときには、前記入力画像の画像情報を選択し、前記投影面との距離が所定範囲以外のときには当該投影面との距離に応じて前記入力画像における画像領域のうち前記付加画像情報を除いた画像情報を選択することを特徴とする。
【発明の効果】
【００２４】
請求項１に記載の発明は、画像情報に基づいた画像を投影面に投射する投影装置において、原画像の情報を入力する入力部と、投影面との距離の情報を取得する距離情報取得部と、原画像もしくは原画像に付加情報を加えた画像を入力画像とし、投影面との距離が所定範囲内であるときには入力画像における画像領域全体を選択し、投影面との距離が所定範囲以外のときには入力画像における画像領域のうち一部の画像領域の画像情報を部分的に選択する画像情報選択部と、画像情報選択部により選択した画像情報に基づいた画像を投影画像とし、投影面に投射する投射部と、を備えたので、投影面との距離(以下、投影距離という。)が投影装置の推奨範囲を超えた場合であっても、使用者にとって必要な画像情報のみを選択的に投影面に投影することができ、投影面に投影された画像はより見やすいものとなる。
【００２５】
請求項２に記載の発明は、請求項１に記載の発明であって、画像情報選択部により選択した一部の画像領域の画像情報を、入力画像サイズとは異なったサイズに変換する画像サイズ処理部を備え、投射部は、画像サイズ処理部によって変換された画像を投影画像とし、投影面に投射するので、投影距離が投影装置の推奨範囲を超えた場合であっても、投影面に投射された画像を拡大・縮小するなどして使用者にとってより見やすい画像サイズに変更することができる。
【００２６】
請求項３に記載の発明は、請求項１又は請求項２に記載の発明であって、投影面との距離を検出する距離情報検出部を備え、距離情報取得部は、距離情報検出部により検出された投影面との距離の情報を取得するので、投影距離に基づいて投影面に投影される画像のうち使用者にとって必要な部分だけを選択的に表示し得る。
【００２７】
請求項４に記載の発明は、請求項１から請求項３のいずれか一項に記載の発明であって投影面との距離の情報を設定入力するための距離情報入力部を有し、距離情報取得部は、距離情報入力部から設定入力された投影面との距離の情報を取得するので、使用者が設定した所望の投影距離に応じた画像サイズに変更することができる。
【００２８】
請求項５に記載の発明は、請求項４に記載の発明であって、距離情報取得部は、距離情報検出部により検出された投影面との距離の情報または距離情報入力部に設定入力された投影面との距離の情報のいずれか一方を選択取得するので、使用状況に応じて、使用者が任意に切り替えることが可能となる。
【００２９】
請求項６に記載の発明は、請求項１から請求項５のいずれか一項に記載の発明であって、画像情報選択部は、入力画像の画像領域をｎ分割（ｎは整数）して得た少なくとも１分割分の領域を、一部の画像領域の画像情報として選択するので、ｎ分割された原画像の画像領域の中から使用者にとって必要な画像情報のみを選択的に投影面に投影することができ、投影面に投影された画像はより見やすいものとなる。
【００３０】
請求項７に記載の発明は、請求項６に記載の発明であって、画像情報選択部は、投影面との距離に応じて、入力画像の画像領域を分割する数を決定するので、投影距離に応じた最適な分割数を自動的に決定することができ、使用者は必要な画像情報のみを選択的に投影面に投影し易くなり、投影面に投影された画像はより見やすいものとなる。
【００３１】
請求項８に記載の発明は、請求項１から請求項７のいずれか一項に記載の発明であって、入力画像の画像領域のうち一部の領域を指定する投影画像範囲指定手段を有し、画像情報選択部は、投影画像範囲指定手段によって指定された入力画像の任意の領域を距離に基づいて、一部の画像領域の画像情報として選択するので、投影距離に応じて自動的に表示枠の大きさが決定され、使用者にとって所望の画像情報だけを指定領域として投影面に表示することができ、投影面に投影された画像は使用者にとってより見やすいものとなる。
【００３２】
請求項９に記載の発明は、請求項１から請求項５のいずれか一項に記載に記載の発明であって、入力部から原画像の画像情報を取得し、入力画像として当該原画像の画像領域に隣接する領域に付加情報を加えた画像を生成する画像付加部を備え、画像情報選択部は、付加情報を除いた入力画像を、一部の画像領域の画像情報として選択するので、投影距離が投影装置の推奨範囲を超えた場合に、例えば字幕等の不要な画像情報を排除し、使用者にとって必要な画像情報のみを投影面に投影することができ、投影面に投影された画像は簡素でより見やすいものとなる。
【００３３】
請求項１０に記載の発明は、請求項１から請求項５のいずれか一項に記載に記載の発明であって、入力部は、通信ネットワークから文字データを含むメタデータ及び画像データを原画像の情報として取得する通信インターフェイスを含み、入力部より取得したメタデータを入力画像に変換するアプリケーション処理部を有し、アプリケーション処理部は、投影面との距離が所定範囲以外のときには、メタデータに基づいて、入力画像における画像領域のうち一部の画像領域の画像情報を選択することを特徴とする。原画像における画像領域のうち一部の画像領域の画像情報を選択するので、投影距離が投影装置の推奨範囲を超えた場合であっても、ネットワークから取得したメタデータを解析し、メタデータ中で使用者にとって必要な部分のみを投影面に投影することができ、投影面に投影された画像は簡素でより見やすいものとなる。
【００３４】
請求項１１に記載の発明は、請求項１０に記載に記載の発明であって、アプリケーション処理部は、メタデータに複数のフレーム情報が含まれると判定すると、複数のフレーム情報のうち少なくとも一つのフレーム情報を除いた画像情報を、一部の画像領域の画像情報として選択するので、ネットワークから取得したメタデータを解析し、メタデータ中で使用者にとって不要なフレームを除き、必要なフレームのみを投影面に投影することができ、投影面に投影された画像は簡素でより見やすいものとなる。
【００３５】
請求項１２に記載の発明は、請求項１０又は請求項１１に記載の発明であって、アプリケーション処理部は、メタデータに基づいて、原画像の情報のうち文字データ及び画像データのうちいずれか一方の情報を、一部の画像領域の画像情報として選択するので、ネットワークから取得したメタデータを解析し、使用者が文字を必要とする場合には、文字部分だけを投影面に投影することができ、一方使用者が画像を必要とする場合には、画像部分だけ投影面に投影することができ、投影面に投影された画像は簡素でより見やすいものとなる。
【００３６】
請求項１３に記載の発明は、請求項１０から請求項１２のいずれか一項に記載の発明であって、アプリケーション処理部は、メタデータに基づいて、原画像の情報のうち特定の文字データ及び画像データを除いた情報を、一部の画像領域の画像情報として選択するので、ネットワークから取得したメタデータを解析し、使用者にとって不要なバナー広告の部分を除き、必要な文字及び画像情報が記載された部分のみを投影面に投影することができ、投影面に投影された画像は簡素でより見やすいものとなる。
【００３７】
請求項１４に記載の発明は、請求項１０から請求項１３のいずれか一項に記載の発明であって、アプリケーション処理部は、入力部から原画像の画像情報を取得し、当該原画像の画像領域に隣接する領域に付加情報としての付加画像情報を加えた画像を入力画像情報とし、投影面との距離が所定範囲内であるときには、入力画像の画像情報を選択し、投影面との距離が所定範囲以外のときには当該投影面との距離に応じて入力画像における画像領域のうち付加画像情報を除いた画像情報を選択するので、投影距離に応じて、原画像のうち、使用者にとって不要なツールバー、メニューバー、ステータスバー等を除き、必要な部分のみを投影面に投影することができ、投影面に投影された画像は簡素でより見やすいものとなる。
【発明を実施するための最良の形態】
【００３８】
以下、本発明の投影装置の各実施形態について、具体的に説明する。本発明に係る実施形態における投影装置は、机面上などのスクリーンへの画像の投射によって利用者から見た視覚的な投影面に（２次元）画像を表示する装置であり、透過型液晶パネルないしＤＭＤなどの光変調素子を用いて画像を投影するものである。また、本実施形態における投影装置は、机面上のスクリーンだけではなく、投影装置から所定の距離が離れた壁面上のスクリーンにも最適なサイズの映像を投影することができる投影装置である。
【００３９】
まず、投影装置Ａの外観構成について、図１及び図２を用いて説明する。図１は本発明の実施形態における投影装置Ａの外観構成図であり、設置面である机上Ｂに載置されている状態を示している。なお、図１（ａ）は正面斜め上方から見た投影装置Ａの斜視図であり、図１（ｂ）は後方斜め上方から見た投影装置Ａの斜視図である。
【００４０】
投影装置Ａは、投影装置本体１と、この投影装置本体１を回動可能に支持する支持部２とを備えている。符号Ｚは、投影装置本体１の回動軸を示している。投影装置本体１はその後部側面に支持部２の先端の連結部１３と回動可能に連結するための連結部１２を設けており、この連結部１２，１３によって回転軸Ｚを中心として投影装置本体１が回動し、図２に示すように、その投影方向Ｙを切り替えるようにしている。
【００４１】
投影装置本体１は、連結部１２と一体の筐体１０を有し、この筐体１０の外面に、図１（ａ）に示すように、各種制御を行うための後述する制御パネルＰや、投影装置Ａと投影面Ｓ（以下、スクリーンＳともいう。）との距離情報を検出する距離情報検出部２１、投射部Ｌからの投影光を出射する出射口１１などを有している。
【００４２】
図２は、投影装置Ａの各投影方向を説明するための図である。図２（ａ）に示すように、投影装置本体１は、机上投射の位置に設定され、机上の投影面ＳとしてのスクリーンＳ１（以下、投影面Ｓ１ともいう。）に画像を投射している。図２（ｂ）に示すように、投影装置本体１は、側壁面投射の位置に設定され、側壁面上の投影面ＳとしてのスクリーンＳ２（以下、投影面Ｓ２ともいう。）に画像を投射している。図２（ｃ）に示すように、投影装置本体１は、天井投射の位置に設定され、天井の投影面ＳとしてのスクリーンＳ３（以下、投影面Ｓ３ともいう。）に画像を投射している。投影方向Ｙにおいて、出射口１１の位置を原点とし、スクリーンＳに向かう方向をＹ軸の正方向と定義すると、図２に示すように、投影装置Ａは、出射口１１から画像光ＧをＹ軸の正方向に出射し、スクリーンＳに画像を投影している。画像光Ｇは、スクリーンＳに画像を投影するために出射口１１から出射される光である。図２に示す一点鎖線で囲まれた領域は、画像光Ｇの投射範囲を示しており、投射範囲は、Ｙ軸の正方向に向かって拡大している。投影装置Ａは、図２に示すように投影装置本体１の回動方向によって机上投射、側壁面投射、天井投射できるように投影装置本体１が支持部２と連結されている。
【００４３】
このように投影装置Ａは、複数の方向に切り替えて投射可能に構成されている。なお、複数の方向に切り替えて投射可能とする構成としては、上述のように回転させる構造ではなく、投影装置本体１と支持部２とにそれぞれ嵌合部を設け、これらの嵌合部の嵌合方向によって複数の方向に投射可能に構成するようにしてもよい。この点については、本出願人が出願した特願２００５−１６４４４５に詳細に記載されているため、ここでは説明を省略する。また、本願における回転機構についても同様に、本出願人が出願した特願２００４−３７８８５８に詳細に記載されているため、ここでは詳細な説明を省略している。
【００４４】
次に、投影装置Ａの内部概略構成を、図３を用いて説明する。図３は、本実施形態に係る投影装置Ａの内部概略構成を示す図である。
【００４５】
図３に示すように、投影装置Ａは、外部から原画像の情報を入力する入力部２０と、制御部Ｕと、制御パネルＰと、投影面Ｓとの距離情報を検出する距離情報検出部２１と、画像処理回路３５と、投射部Ｌとを備えており、これらは筐体１０に内蔵されている。なお、ランプ３０と照明光学系３１とで照明光学系３１という場合があるものとする。
【００４６】
入力部２０は、投影装置Ａ外部の通信ネットワークから文字データを含むメタデータＭＤ及び画像データＩＤを取得する通信インターフェース４５と、投影装置Ａ外部から入力された映像信号ＩＭを原画像の情報として画像処理回路３５に入力する映像信号入力手段４６とを備えている。画像処理回路３５は、制御部Ｕによる制御に基づいて、入力された原画像の情報に対し、各種の処理を行う。
【００４７】
制御部Ｕは、メタデータＭＤを画像に変換するなど後述のように各種の処理を行うアプリケーション処理部６０と、距離情報取得部３８と、通信インターフェース４５により取得された原画像の情報などの各種のデータが記憶される記憶部Ｍと、画像付加部４３とを有している。距離情報取得部３８は、距離情報検出部２１により検出された距離情報に基づいて投影距離を算出し、記憶部Ｍに記憶させる。記憶部Ｍには、予め投影装置の推奨範囲Ｒａが記憶されている。推奨範囲Ｒａとは、レンズの焦点距離、ズーム機能、光源の出力、スクリーンサイズなどに基づいて予め定められた適切な画像を投影し得る範囲をいう。制御部Ｕは、画像処理回路３５やランプ駆動回路３７と接続されており、使用者による制御パネルＰの操作に応じて各種の処理を行う。
【００４８】
ここで、画像付加部４３は、映像信号入力手段４６及び画像処理回路３５を介して原画像の情報を取得し、かかる原画像の画像領域に隣接する領域に付加情報として付加画像情報を加えた入力画像情報を生成し、画像情報選択部４１に入力する。付加画像情報は、映像信号入力手段４６及び画像処理回路３５を介して外部から取得した映像信号ＩＭについての原画像の情報に対する字幕などの情報である。なお、本実施形態において画像付加部４３は、映像信号入力手段４６及び画像処理回路３５を介して原画像の情報を取得するようにしたが、映画像処理回路３５を介さずに原画像の情報を取得するようにしてもよい。
【００４９】
制御パネルＰは、投影装置Ａにおいて使用者が操作可能な箇所、すなわち筐体１０の外壁面の適所に設けられており、後述するように、使用者がこの制御パネルＰを操作することによって、制御部Ｕの作動制御や作動停止制御などを行う。たとえば、使用者が制御パネルＰを操作して、画像表示モードを選択すると、制御部Ｕは画像処理回路３５やランプ駆動回路３７を制御して、結像光学系３３から画像光をスクリーンＳへ投影する。
【００５０】
距離情報検出部２１は、投影装置ＡからスクリーンＳまでの距離情報を測定する距離センサ４０を備えている。距離センサ４０は、スクリーンＳへ向けて赤外線（検出波）Ｉｒを出射する送信部４０ａと、赤外線Ｉｒの反射赤外線Ｒｒを検出する受信部４０ｂとを備えている。距離情報検出部２１は、検出した距離情報を制御部Ｕに備えられた距離情報取得部３８へと送る。
【００５１】
図３及び図４に示すように、距離情報取得部３８は、距離情報検出部２１の距離センサ４０における赤外線Ｉｒの出射方向と、赤外線ＩｒがスクリーンＳ上において反射する反射点Ｐｒからの反射赤外線Ｒｒの入射方向とに基づいて、距離センサ４０から反射点Ｐｒまでの距離を算出する。距離センサ４０から反射点Ｐｒまでの距離は、投影距離Ｄとして制御部Ｕにおける記憶部Ｍに記憶される。
【００５２】
画像処理回路３５は、制御部Ｕより取得した入力画像の画像領域全体である全体画像Ｓｘ又は入力画像の画像領域のうち一部の画像領域の画像情報である一部画像Ｓａのいずれかを選択する画像情報選択部４１と、一部画像Ｓａの画像情報を全体画像Ｓｘと同一又は異なるサイズに変換する画像サイズ処理部４２を備える。
【００５３】
アプリケーション処理部６０は、通信インターフェース４５により取得されたメタデータＭＤや画像データＩＤを制御部Ｕに備えられた記憶部Ｍから読み込む。次に、読み込んだデータを解析し、後述する通り、投影距離に応じ画像へと変換し、隣接する領域に付加画像加えた画像情報を生成する。付加情報は、通信インターフェース４５により取得されたメタデータＭＤなどの原画像の情報に対するツールバー、メニューバー、ステータスバーである。
【００５４】
画像情報選択部４１は、まず、投影距離Ｄ及び推奨範囲Ｒａを記憶部Ｍから読み取る。次に、読み取った投影距離Ｄが推奨範囲Ｒａ内にあるか否かを判断し、投影距離Ｄが推奨範囲Ｒａ内であるときには全体画像Ｓｘを選択する。選択された全体画像Ｓｘは、画像情報として投射部Ｌに備えられた光変調素子ドライブ回路３６に入力される。
【００５５】
一方、画像情報選択部４１は、投影距離Ｄが推奨範囲Ｒａ外であるときには一部画像Ｓａを選択する。選択された一部画像Ｓａは、画像情報として画像サイズ処理部４２に入力される。
【００５６】
画像サイズ処理部４２は、一部画像Ｓａの画像情報を全体画像Ｓｘと同一又は異なるサイズの画像情報に変換する。変換された画像情報は、投射部Ｌに備えられた光変調素子ドライブ回路３６に入力される。
【００５７】
投射部Ｌは、光源としてのランプ３０、照明光学系３１、光変調素子３２、結像光学系３３、光変調素子ドライブ回路３６、ランプ駆動回路３７とを有する。
【００５８】
ランプ３０は、制御部Ｕによって制御されたランプ駆動回路３７から出力される信号に基づいて、点灯駆動されて発光する。ランプ３０で発光された光は、図示しないカラーフィルタなどの回転カラーホイールを通し、照明光学系３１によって照明光として、透過型液晶パネルなどの光変調素子３２に照射される。
【００５９】
光変調素子３２は、光変調素子ドライブ回路３６によって駆動され、その表示面に映像を表示する。このように表示された映像は、照明光学系３１からの照明光によって照らされて、結像光学系３３及び図２に示す筐体１０の出射口１１を通って、スクリーンＳに投影される。このように、光変調素子３２に表示される映像がスクリーンＳに投影される構成となっている。
【００６０】
次に、本実施形態を用いて画像情報に基づいた画像を投影面に投射するため構成及び動作について更に具体的に説明する。
【００６１】
図５は、投影装置Ａの投影距離ＤとスクリーンＳとの位置関係を模式的に示した図である。図５には、スクリーンＳとして、机上の投影面であるスクリーンＳ１と側壁面上の投影面であるスクリーンＳ２がＹ軸正方向にこの順番で示されている。
【００６２】
投影装置Ａは、Ｙ軸方向に推奨範囲Ｒａを有しており、推奨範囲Ｒａは、最小値Ｒａｍｉｎから最大値Ｒａｍａｘの範囲で示される。
【００６３】
ここで、図２（ａ）に示すように、投影装置本体１を机上投射の位置に設定し、投影面Ｓ１に画像を投射した場合は、投影距離ＤはＤｄとなり、推奨範囲Ｒａ内にあるものとする。すなわち、Ｒａｍｉｎ＜Ｄｄ＜Ｒａｍａｘとなる。このとき上述の通り、図３に示す画像情報選択部４１は、投影距離Ｄが推奨範囲Ｒａ内にあると判断し、全体画像Ｓｘを選択し、選択された全体画像Ｓｘは、投射部Ｌを介してスクリーンＳ１に投影される。図６は、入力部２０に映像信号ＩＭが入力された場合の全体画像Ｓｘを示したものであり、図７は、入力部２０にメタデータＭＤ及び画像データＩＤが入力された場合の全体画像Ｓｘを示したものである。
【００６４】
よって、図５に示すように、投影距離Ｄが推奨範囲Ｒａ内にある場合には、スクリーンＳ１に対して全体画像Ｓｘが投影される。
【００６５】
一方、図２（ｂ）に示すように、投影装置本体１を机上投射の位置から側壁面投射の位置に設定変更し、投影面Ｓ２に画像を投射した場合は、投影距離ＤはＤｄよりも大きいＤｗとなる。ここで、投影距離Ｄｗが推奨範囲Ｒａ内にある場合には、同様に、投影面Ｓ２には、全体画像Ｓｘがそのまま表示される。しかし、一般に、使用者は、投影装置本体１と投影面Ｓ２とがある程度遠く離れた状態で使用する場合が多いので、以下、投影距離Ｄｗが推奨範囲Ｒａ外となる場合、すなわち、Ｒａｍａｘ＜Ｄｗとなる場合について説明する。
【００６６】
図５に示すように、画像光Ｇの投射範囲はＹ軸の正方向に進むに従って拡大する。したがって、仮に、投影面Ｓ２に対して全体画像Ｓｘをそのまま表示したとすると、投影距離Ｄｗが大きいため、投影面Ｓ２のサイズに制限がある場合には、全体画像Ｓｘは投影面Ｓ２のサイズを超えた投影画像サイズとなり、使用者にとって見づらいものとなってしまう。また、画像全体を見ようとすると、投影画面である全体画像Ｓｘを縮小する必要が発生する。
【００６７】
かかる場合に、本実施形態における投影装置Ａは、投影距離Ｄに基づく画像処理を行うことによって、全体画像Ｓｘではなく一部画像Ｓａを投影面Ｓ２に表示することにより、使用者にとって必要な情報部分だけを自由に選択して表示し得るものである。以下、かかる投影距離に基づく画像処理について詳細に説明する。
【００６８】
図３に示すように、投影装置本体１は、入力部２０が、メタデータＭＤ及び画像データＩＤを原画像の情報として取得した場合と、映像信号ＩＭを取得した場合とで異なる画像処理を施すので、以下、場合を分けて説明する。
【００６９】
まず、入力部２０が、映像信号ＩＭを取得した場合について説明する。
【００７０】
投影装置本体１に備えられた入力部２０に、投影装置Ａ外部から映像信号ＩＭが入力された場合には、映像信号入力手段４６は、入力された映像信号を原画像の情報として画像処理回路３５に入力する。
【００７１】
一方、距離情報取得部３８は、距離情報検出部２１により検出された距離情報に基づいて投影距離Ｄを算出する。
【００７２】
画像情報選択部４１は、投影距離Ｄが投影装置の推奨範囲Ｒａ外であると判断し、投影距離Ｄに基づいて一部画像Ｓａを選択する。投影距離Ｄに基づいて一部画像Ｓａを選択する画像処理としては、次の２つの構成がある。
【００７３】
まず、投影距離Ｄに基づいて一部画像Ｓａを選択する第１の構成として、原画像の画像領域をｎ分割（ｎは整数）して得たうちの1つの領域を投影画像としてスクリーンＳ２に投影する分割表示モードについて説明する。ここで、ｎ分割した画像の領域数を選択することも可能であるが、本実施例においては、１つの領域の場合について説明する。
【００７４】
図３に示すように、制御パネルＰは、表示モードとして分割表示モードを選択し得る図示しない分割コマンドボタンを備えており、使用者が制御パネルＰを操作して、分割表示モードを選択すると、制御部Ｕは、分割表示モード情報を記憶部Ｍに記憶する。
【００７５】
画像情報選択部４１は、記憶部Ｍから分割表示モード情報を読み取り、表示モードが分割表示モードであることを判断し、全体画像Ｓｘの分割数ｎを投影距離Ｄに基づき決定する。本実施形態においては、図８に示すように、全体画像Ｓｘの分割数ｎを４と決定したとする。
【００７６】
そして、画像情報選択部４１は、全体画像Ｓｘを４分割して得たうちの1つの領域である分割領域ａ１を、一部画像Ｓａとして選択する。
【００７７】
選択された一部画像Ｓａは、画像情報として画像サイズ処理部４２に入力される。画像サイズ処理部４２は、一部画像Ｓａと全体画像Ｓｘの大きさとを比較して、一部画像Ｓａの画像情報を全体画像Ｓｘと同一又は異なるサイズの画像情報に変換する。変換された画像情報は、投射部Ｌを介して画像としてスクリーンＳ２に投影される。
【００７８】
よって、使用者が分割表示モードを選択した場合には、図８に示すように、スクリーンＳ２に対して分割領域ａ１が、一部画像Ｓａとして投影される。
【００７９】
したがって、投影距離Ｄに応じて自動的に最適な分割数ｎが決定されるので、使用者にとって必要な情報部分だけをｎ分割して得た１分割分の領域として投影面に表示することができ、投影面に投影された画像はより見やすいものとなる。
【００８０】
なお、使用者が再度、制御パネルＰを操作することにより、４分割された分割領域ａ１、ａ２、ａ３、ａ４の中から所望の分割領域を選択できる構成としても良い。かかる場合には、新たに選択された分割領域が、一部画像ＳａとしてスクリーンＳ２に投影される。また、投影距離Ｄによっては、分割数ｎは他の値として決定されても良い。例えば、投影距離Ｄの大きさによっては、画像光Ｇの輝度や彩度が低下し、投影面Ｓ２に表示されたＳｘは使用者にとって極めて見づらいものとなってしまうので、更に細かく分割され、９分割、１６分割と決定されることもある。
【００８１】
次に、投影距離Ｄに基づいて一部画像Ｓａを選択する第２の構成として、原画像の画像領域中で使用者が任意に指定した領域を投影画像としてスクリーンＳ２に投影する領域指定表示モードについて説明する。
【００８２】
図３に示すように、制御パネルＰは、使用者が表示モードとして領域指定表示モードを選択し得る図示しない領域指定表示モードボタンと、原画像の画像領域のうち一部の領域を指定する投影画像範囲指定部５０とを備えている。使用者が領域指定表示モードを選択すると制御部Ｕは、領域指定表示モード情報を記憶部Ｍに記憶する。
【００８３】
画像情報選択部４１は、記憶部Ｍから領域指定表示モード情報を読み取り、表示モードが領域指定表示モードであることを判断し、投影距離Ｄに基づき全体画像Ｓｘに対する表示枠Ｆの大きさを決定する。例えば、図９に示すように、表示枠Ｆは、投影距離Ｄの大きさによって、使用者にとって指定領域を確認しやすい最適値となるように大きさを決定する。決定された表示枠Ｆ及び全体画像Ｓｘは、投射部Ｌを介して画像としてスクリーンＳ２に投影される。
【００８４】
そして、使用者は、スクリーンＳ２を見ながら再び投影画像範囲指定部５０を操作し、表示枠Ｆの位置を移動することにより全体画像Ｓｘにおける所望の領域を指定する。指定された領域は、表示枠Ｆの位置情報として制御部Ｕに備えられた記憶部Ｍに記憶される。
【００８５】
画像情報選択部４１は、記憶部Ｍから表示枠Ｆの位置情報を読み取り、全体画像Ｓｘのうち表示枠Ｆにより包囲された領域を、一部画像Ｓａとして選択する。
【００８６】
選択された一部画像Ｓａは、画像情報として画像サイズ処理部４２に入力される。画像サイズ処理部４２は、一部画像Ｓａと全体画像Ｓｘの大きさとを比較して、一部画像Ｓａの画像情報を全体画像Ｓｘと同一又は異なるサイズの画像情報に変換する。変換された画像情報は、投射部Ｌを介して画像としてスクリーンＳ２に投影される。
【００８７】
よって、投影距離Ｄが推奨範囲Ｒａ外にあり、かつ、使用者が制御パネルＰで領域指定表示モードを選択する場合には、図９に示すように、スクリーンＳ２に対して全体画像Ｓｘのうち表示枠Ｆにより包囲された領域が、一部画像Ｓａとして投影される。
【００８８】
投影距離Ｄに応じて自動的に表示枠Ｆの大きさが決定され、使用者にとって所望の画像情報だけを指定領域として投影面に表示することができ、投影面に投影された画像は使用者にとってより見やすいものとなる。
【００８９】
以上、画像情報として一部画像Ｓａを選択する２つの構成を説明した。なお、図５に示すように、側壁の投影面Ｓ２において、全体画像Ｓｘから一部画像Ｓａを除いた範囲は、映像が投影されないが、かかる範囲には、画像サイズ処理部４２により純黒の映像を表示させるように画像処理をしても良い。このようにすることで、スクリーンサイズに合わせた投影画面を表示することが出来る。
【００９０】
ところで、本実施形態においては、図３に示すように、入力部２０を介して文字多重放送などの映像情報以外の情報を含む映像信号ＩＭを取得した場合に、画像付加部４３により、原画像の情報に付加画像情報を加えた画像情報を投影画像として投影面Ｓに投影してもよい。付加画像情報としては、例えば、図６に示す全体画像Ｓｘに対して、「自然を大切に！」などの字幕（図示せず）を付加することがある。付加画像情報を加えるか否かは、使用者が制御パネルＰを操作して付加画像表示モードを選択することで決定される。
【００９１】
かかる場合、使用者が付加画像情報モードを選択すると制御部Ｕは、付加画像情報モード情報を記憶部Ｍに記憶する。
【００９２】
画像情報選択部４１は、投影距離Ｄ及び推奨範囲Ｒａを制御部Ｕに備えた記憶部Ｍから読み取る。さらに、画像情報選択部４１は、読み取った投影距離Ｄが推奨範囲Ｒａ内にあるか否かを判断し、投影距離Ｄが推奨範囲Ｒａ内であると判断した場合には、付加画像情報を含む全体画像Ｓｘを選択する。選択された全体画像Ｓｘは、付加画像情報として字幕を有している。
【００９３】
そして、選択された全体画像Ｓｘは、投射部Ｌを介して画像として机上の投影面Ｓ１に投影される。
【００９４】
一方、画像情報選択部４１は、投影距離Ｄが推奨範囲Ｒａ外であると判断した場合には、全体画像Ｓｘのうち字幕を除いた画像情報を一部画像Ｓａとして選択する。ここでは、全体画像Ｓｘのうち、字幕を取り除いた情報が、一部画像Ｓａとして選択された。
【００９５】
選択された一部画像Ｓａは、画像情報として画像サイズ処理部４２を介してそのサイズが変換された後、図６に示すように、投射部Ｌを介して画像としてスクリーンＳ２に投影される。
【００９６】
よって、使用者が付加画像表示モードを選択した場合は、全体画像Ｓｘには字幕などの付加画像情報が付加されるが、投影距離Ｄに応じて字幕を削除すべきか否かが自動的に決定されるので、使用者にとって必要な画像情報のみを投影面に投影することができ、投影面に投影された画像は簡素でより見やすいものとなる。
【００９７】
なお、画像情報選択部４１は、一部画像Ｓａとして字幕などの付加画像情報を選択するようにしても良い。かかる場合、使用者が指定した通りの画像が投影面Ｓ２に投影される。
【００９８】
以上のような、投影装置Ａで外部から取得した映像信号ＩＭをスクリーンＳに映像として投射する場合の動作を、図１０及び図１１のフローチャートを参照しつつ説明する。
【００９９】
投影装置Ａの電源スイッチがオンにされると、まず、距離情報検出部２１の距離センサ４０によって、投影装置ＡからスクリーンＳまでの距離情報を測定し、距離情報取得部３８により投影距離Ｄを検出する（Ｓ１１）。
【０１００】
投影距離Ｄを検出すると、画像情報選択部４１で、投影距離Ｄが推奨範囲Ｒａ内にあるか否かを判断する（Ｓ１２）。
【０１０１】
判断の結果、投影距離Ｄが推奨範囲Ｒａ内にある場合、画像情報選択部４１で、全体画像Ｓｘを選択する（Ｓ１３）。
【０１０２】
選択された全体画像Ｓｘは、画像情報として投射部Ｌを介して画像として投影面Ｓに投影される（Ｓ１５）。
【０１０３】
判断の結果、投影距離Ｄが投影装置Ａの推奨範囲Ｒａ外にある場合（Ｓ１２）、画像情報選択部４１により、一部画像Ｓａを選択する（Ｓ１４）。
【０１０４】
一部画像Ｓａを選択する手順を図１１に示されるフローチャートを用いて詳細に説明する。
【０１０５】
まず、使用者が、制御パネルＰを操作し、表示モードとして分割表示モード、領域指定モード、または付加情報表示モードのうちいずれか１つを選択すると、画像情報選択部４１で、各表示モードを取得する。（Ｓ１４１）。
【０１０６】
表示モードが分割表示モードであれば、画像情報選択部４１で、表示モードが分割表示モードであることを判断し（Ｓ１４２）、全体画像Ｓｘの分割数ｎを投影距離Ｄに基づき決定する（Ｓ１４３）。
【０１０７】
次に、画像情報選択部４１により、上述のように全体画像Ｓｘをｎ分割して得た１分割分の領域を、一部画像Ｓａとして選択する（Ｓ１４４）。この際に、使用者が再度制御パネルＰを操作することにより、ｎ分割された領域中から所望の１分割分の領域を選択した場合には、新たに選択された領域を、一部画像Ｓａとして選択する。
【０１０８】
また、表示モードが領域指定表示モードであれば、画像情報選択部４１で、表示モードが領域指定表示モードであることを判断し（Ｓ１４５）、投影距離Ｄに基づき全体画像Ｓｘに対する表示枠Ｆの大きさを決定する（Ｓ１４６）。
【０１０９】
次に、画像情報選択部４１により、全体画像Ｓｘのうち表示枠Ｆにより包囲された領域を、一部画像Ｓａとして選択する。具体的には、使用者が投影画像範囲指定部５０を操作することにより、表示枠Ｆの位置を移動して全体画像Ｓｘにおける所望の領域を指定する。指定された領域は、表示枠Ｆの位置情報として記憶部Ｍに記憶され、画像情報選択部４１で、全体画像Ｓｘのうち表示枠Ｆにより包囲された領域を、一部画像Ｓａとして選択する。（Ｓ１４７）。このとき、投影画像範囲指定部５０と記憶部Ｍは、入力画像の画像領域のうち一部の領域、すなわち、一部画像Ｓａを指定する投影画像範囲指定手段として機能する。
【０１１０】
また、表示モードが付加情報表示モードであれば、画像情報選択部４１で、表示モードが付加情報表示モードであることを判断し（Ｓ１４８）、全体画像Ｓｘのうち字幕等の付加画像情報を除いた画像情報を一部画像Ｓａとして選択する（Ｓ１４９）。
【０１１１】
そして、画像情報選択部４１で、一部画像Ｓａを選択すると、次に、画像サイズ処理部４２で、一部画像Ｓａと全体画像Ｓｘの大きさとを比較して、一部画像Ｓａの画像情報を全体画像Ｓｘと同一又は異なるサイズの画像情報に変換する（Ｓ１５０）。
【０１１２】
以上の手順に従って、図１０に示すように、選択された一部画像Ｓａは、画像情報として投射部Ｌを介して画像として投影面Ｓに投影される（Ｓ１５）。
【０１１３】
次に、図３に示すように、投影距離Ｄが推奨範囲Ｒａ外にあり、かつ、投影装置本体１の入力部２０が、メタデータＭＤ及び画像データＩＤ（以下、メタデータ等という。）を原画像の情報として取得した場合の投影距離に基づく画像処理について具体的に説明する。
【０１１４】
本実施形態において、図７に示すように、全体画像Ｓｘは、文字及び画像を表示した２つのフレームＦ１及びフレームＦ２を有するものとする。フレームＦ１は、原画像の左側に位置し、フレームＦ２は、原画像の右側に位置している。フレームＦ１は、画像Ｉ１及び文章Ｃ１を上からこの順番で上下方向に有し、一方、フレームＦ２は、広告Ｖ１、文章Ｃ２、画像Ｉ２、文章Ｃ３を上からこの順番で上下方向に有する。
【０１１５】
全体画像Ｓｘは、後述のアプリケーション処理部６０により付加された、ツールバー等からなるバーＢ１、スクロールバー等のバーＢ２及びステータスバー等のバーＢ３を有しているものとする。
【０１１６】
図３に示すように、アプリケーション処理部６０は、読み取った投影距離Ｄが投影装置の推奨範囲Ｒａ外であると判断すると、メタデータＭＤに基づいて一部画像Ｓａを選択する。メタデータＭＤに基づいて一部画像Ｓａを選択する画像処理としては、次の３つの構成が考えられる。
【０１１７】
まず、メタデータＭＤに基づいて一部画像Ｓａを選択する第１の構成として、原画像の画像領域に複数含まれるフレームのうちいずれかを選択したものを投影画像としてスクリーンＳ２に投影するフレーム選択表示モードについて説明する。
【０１１８】
制御パネルＰは、使用者が表示モードとしてフレーム選択表示モードを選択し得る図示しないフレーム選択表示ボタンを備えており、使用者がフレーム選択表示モードを選択すると制御部Ｕは、フレーム選択表示モード情報を記憶部Ｍに記憶する。
【０１１９】
アプリケーション処理部６０は、メタデータ等を含む原画像の情報を記憶部Ｍから読み取ると、メタデータＭＤの記述内容を解析し、メタデータに複数のフレーム情報が含まれていると判定する。ここでは、図１２に示すように、＜ｆｒａｍｅ  ｓｒｃ＝“ｆｒａｍｅ１．ｈｔｍｌ”＞との記述よりフレームＦ１が、＜ｆｒａｍｅ  ｓｒｃ＝“ｆｒａｍｅ２．ｈｔｍｌ”＞との記述よりフレームＦ２が２つのフレーム情報として全体画像Ｓｘ中に含まれていると判定する。
【０１２０】
原画像の情報に含まれるメタデータＭＤは、ＨＴＭＬファイル「Ｍａｉｎ．ｈｔｍｌ」中に記述されている。なお、ＨＴＭＬファイル「Ｍａｉｎ．ｈｔｍｌ」は、本実施形態の説明に必要なメタデータのみを表示している。その処理内容を簡単に説明すると、原画像として表示されるページを左右に１：４の大きさで分割し、左にｆｒａｍｅ１．ｈｔｍｌファイルをサーバから呼び出してフレームＦ１として表示し、右にｆｒａｍｅ２．ｈｔｍｌを同様にフレームＦ２として表示する命令が記載されている。
【０１２１】
アプリケーション処理部６０は、かかるメタデータを解析することにより、フレームＦ１及びフレームＦ２の２つのフレーム情報を認識する。
【０１２２】
そして、アプリケーション処理部６０は、フレームＦ１及びフレームＦ２のうち、いずれか一方のフレームを除いたフレーム情報に基づいた画像情報を、一部画像Ｓａとして選択する。ここでは、図７及び図１３に示すように、フレームＦ１が、一部画像Ｓａとして選択された。
【０１２３】
選択された一部画像Ｓａは、画像情報として画像サイズ処理部４２に入力される。画像サイズ処理部４２は、一部画像Ｓａと全体画像Ｓｘの大きさとを比較して、一部画像Ｓａの画像情報を全体画像Ｓｘと同一又は異なるサイズの画像情報に変換する。変換された画像情報は、図１３に示すように、投射部Ｌを介して画像としてスクリーンＳ２に投影される。
【０１２４】
さらに、使用者が制御パネルＰを操作することにより、制御部Ｕを介して表示フレームをフレームＦ１からフレームＦ２へと切り替えることも可能である。
【０１２５】
よって、ネットワークから取得したメタデータを解析することにより、メタデータ中で使用者にとって不要なフレームが除かれるので、必要なフレームのみを投影面に投影することができ、投影面に投影された画像は、使用者にとって簡素でより見やすいものとなる。
【０１２６】
次に、メタデータＭＤに基づいて一部画像Ｓａを選択する第２の構成として、原画像の画像情報のうち文字データ及び画像データのうちいずれか一方の情報を投影画像としてスクリーンＳ２に投影する構成について説明する。なお、上述した第１の構成と共通の部分は省略して説明するものとする。
【０１２７】
制御パネルＰは、使用者が表示モードとして画像／文字選択表示モードを選択し得る図示しない画像／文字選択表示ボタンを備えており、使用者が画像／文字選択表示モードを選択する。
【０１２８】
画像／文字選択表示モードが選択されると、アプリケーション処理部６０は、図１４に示すように、上述したＨＴＭＬファイル「Ｍａｉｎ．ｈｔｍｌ」において呼び出されたＨＴＭＬファイル「ｆｒａｍｅ１．ｈｔｍｌ」に記述されたメタデータを解析する。なお、ＨＴＭＬファイル「ｆｒａｍｅ１．ｈｔｍｌ」は、本実施形態の説明に必要なメタデータのみを表示している。その処理内容を簡単に説明すると、＜ＩＭＧ  ｓｒｃ＝”＊＊＊．ＪＰＧ”ａｌｔ＝”＊＊＊のビル”ｔｉｔｌｅ＝”＊＊＊の”＞により「＊＊＊．ＪＰＧ」ファイルをサーバから呼び出してフレームＦ１に画像Ｉ１を表示後、文章Ｃ１を表示する旨の命令が記載されている。
【０１２９】
アプリケーション処理部６０は、かかるメタデータＭＤを解析することにより、フレームＦ１内において、画像Ｉ１に対する画像データ及び文章Ｃ１に対する文字データを認識する。また、同様にＨＴＭＬファイル「ｆｒａｍｅ２．ｈｔｍｌ」に記述されたメタデータを解析して、フレームＦ２内において、画像Ｉ２に対する画像データ及び文章Ｃ２、文章Ｃ３に対する文字データを認識する。すなわち、アプリケーション処理部６０は、原画像の情報のうち、画像データと文字データを分けて認識する。
【０１３０】
そして、アプリケーション処理部６０は、原画像の情報のうち、文字データ及び画像データのうちいずれか一方の情報を一部画像Ｓａとして選択する。ここでは、図１５（ａ）に示すように、原画像の情報のうち、フレームＦ１内の画像Ｉ１に対する画像データ及びフレームＦ２内の画像Ｉ２に対する画像データのみを表示した画像Ｓａとして選択された。
【０１３１】
選択された一部画像Ｓａは、画像情報として画像サイズ処理部４２に入力される。画像サイズ処理部４２は、一部画像Ｓａと全体画像Ｓｘの大きさとを比較して、一部画像Ｓａの画像情報を全体画像Ｓｘと同一又は異なるサイズの画像情報に変換する。変換された画像情報は、図１５（ａ）に示すように、投射部Ｌを介して画像としてスクリーンＳ２に投影される。
【０１３２】
使用者が制御パネルＰを操作することにより、図１５（ｂ）に示すように、制御部Ｕを介して画像表示を画像データ表示から画像データを除いたデータ表示へと切り替えることも可能である。
【０１３３】
なお、投影距離が推奨範囲Ｒａ外である場合、１フレーム内の表示で、かつ、文字データだけ又は画像データだけを表示させることも可能である。例えば、図１３及び図１６に示すように、フレームＦ１内の文章Ｃ１に対する文字データだけを表示することも可能である。
【０１３４】
よって、ネットワークから取得したメタデータを解析し、使用者が文字を必要とする場合には、文字部分だけを投影面に投影することができ、一方、使用者が画像を必要とする場合には、画像部分だけ投影面に投影することができ、投影面に投影された画像は簡素でより見やすいものとなる。
【０１３５】
次に、メタデータＭＤに基づいて一部画像Ｓａを選択する第３の構成として、原画像の画像情報のうち特定の文字データ及び画像データを除いた情報を投影画像としてスクリーンＳ２に投影する構成について説明する。なお、上述した第１の構成と共通の部分は省略して説明するものとする。
【０１３６】
制御パネルＰは、使用者が表示モードとして広告別途表示モードを選択し得る図示しない広告別途表示ボタンを備えており、使用者が広告別途表示モードを選択する。
【０１３７】
広告別途表示モードが選択されると、アプリケーション処理部６０は、メタデータ等を含む原画像の情報を記憶部Ｍから読み取り、当該メタデータＭＤの記述内容を解析し、メタデータＭＤに特定の文字データ及び画像データが含まれていると認識する。ここでは、図７に示すように、特定の文字データ及び画像データとして、広告Ｖ１の情報が含まれていると認識する。メタデータ等の記述内容の解析は、上述と同様に行うので、ここでは、説明を省略する。
【０１３８】
そして、アプリケーション処理部６０は、原画像の情報のうち、特定の文字データ及び画像データの少なくとも一方を除いた情報を一部画像Ｓａとして選択する。ここでは、図１７（ａ）に示すように、原画像の情報のうち、広告Ｖ１の情報を取り除いた情報が、一部画像Ｓａとして選択された。
【０１３９】
選択された一部画像Ｓａは、画像情報として画像サイズ処理部４２に入力される。画像サイズ処理部４２は、一部画像Ｓａと全体画像Ｓｘの大きさとを比較して、一部画像Ｓａの画像情報を全体画像Ｓｘと同一又は異なるサイズの画像情報に変換する。変換された画像情報は、図１７（ａ）に示すように、投射部Ｌを介して画像としてスクリーンＳ２に投影される。
【０１４０】
さらに、図１７（ｂ）に示すように、使用者が制御パネルＰ（図３参照）を操作することにより、制御部Ｕを介して画像表示を広告Ｖ１の情報を取り除いた表示から広告Ｖ１だけの表示へと切り替えることも可能である。
【０１４１】
よって、ネットワークから取得したメタデータを解析し、使用者にとって不要な広告の部分を除き、必要な文字及び画像情報が記載された部分のみを投影面に投影することができ、投影面に投影された画像は簡素でより見やすいものとなる。
【０１４２】
ところで、上記いずれの構成においても、投影面に投影された画像は、アプリケーション処理部６０によりバーＢ１、バーＢ２及びバーＢ３（以下、バーＢ１等という。）が付加されている。本実施形態の投影装置Ａは、投影距離に応じてかかる付加画像情報を除いた画像を投影面に投影するようにしてもよい。
【０１４３】
アプリケーション処理部６０は、バーＢ１等によって構成される付加画像が付加された画像情報を原画像の画像情報として取得する。
【０１４４】
次に、アプリケーション処理部６０は、投影距離Ｄ及び投影装置の推奨範囲Ｒａを記憶部Ｍから読み取る。さらに、アプリケーション処理部６０は、読み取った投影距離Ｄが投影装置の推奨範囲Ｒａ内にあるか否かを判断し、投影距離Ｄが推奨範囲Ｒａ内であると判断した場合には、バーＢ１等を含む全体画像Ｓｘを選択する。ここで、図７に示すように、選択された全体画像Ｓｘは、バーＢ１、バーＢ２及びバーＢ３を有している。
【０１４５】
そして、選択された全体画像Ｓｘは、図７に示すように、画像情報として投射部Ｌを介して画像として机上の投影面Ｓ１に投影される。
【０１４６】
一方、アプリケーション処理部６０は、投影距離Ｄが推奨範囲Ｒａ外であると判断した場合には、全体画像ＳｘのうちバーＢ１等の付加画像情報を除いた画像情報を一部画像Ｓａとして選択する。ここでは、図１８に示すように、全体画像Ｓｘのうち、バーＢ１等の付加画像情報を取り除いた情報が、一部画像Ｓａとして選択された。
【０１４７】
選択された一部画像Ｓａは、画像情報として画像サイズ処理部４２に入力される。画像サイズ処理部４２は、一部画像Ｓａと全体画像Ｓｘの大きさとを比較して、一部画像Ｓａの画像情報を全体画像Ｓｘと同一又は異なるサイズの画像情報に変換する。変換された画像情報は、図１８に示すように、投射部Ｌを介して画像としてスクリーンＳ２に投影される。
【０１４８】
よって、投影距離に応じて、原画像のうち、使用者にとって不要なツールバー、メニューバー、ステータスバー等を除き、必要な部分のみを投影面に投影することができ、投影面に投影された画像は簡素でより見やすいものとなる。
【０１４９】
以上のような、投影装置Ａで外部の通信ネットワークから取得したメタデータ等の原画像の情報をスクリーンＳに映像として投射する場合の動作を、図１０及び図１９のフローチャートを参照しつつ説明する。
【０１５０】
図１０に示すＳ１１及びＳ１３においては、同様の処理が行われるのでここでは、説明を省略する。
【０１５１】
アプリケーション処理部６０で、投影距離Ｄが投影装置Ａの推奨範囲Ｒａ外にあると判断された場合（Ｓ１２）、アプリケーション処理部６０により、一部画像Ｓａを選択する（Ｓ１４）。
【０１５２】
アプリケーション処理部６０により、一部画像Ｓａを選択する手順を図１９に示されるフローチャートを用いて詳細に説明する。
【０１５３】
まず、使用者が、制御パネルＰを操作し、表示モードとしてフレーム選択表示モード、画像／文字選択表示モード、広告別途表示モード、バー削除表示モードのうちいずれか１つを選択すると、アプリケーション処理部６０で、各表示モードを取得する。（Ｓ２４１）。
【０１５４】
表示モードがフレーム選択表示モードであれば、アプリケーション処理部６０で、表示モードがフレーム選択表示モードであることを判断し（Ｓ２４２）、通信ネットワークから取得したメタデータＭＤの記述内容を解析し、メタデータＭＤに複数のフレーム情報が含まれていると判定する（Ｓ２４３）。
【０１５５】
次に、アプリケーション処理部６０により、複数のフレーム情報のうち少なくとも一つのフレームを除いたフレーム情報に基づいた画像情報を、一部画像Ｓａとして選択する（Ｓ２４４）。この際に、使用者が再度制御パネルＰを操作することにより、上述の複数のフレーム情報のうち表示させたい所望のフレームを選択した場合には、新たに選択された領域を一部画像Ｓａとして選択する。
【０１５６】
また、表示モードが画像／文字選択表示モードであれば、アプリケーション処理部６０で、表示モードが画像／文字選択表示モードであることを判断し（Ｓ２４５）、メタデータＭＤの記述内容を解析し（Ｓ２４６）、原画像の情報のうち、画像データと文字データを分けて認識する。
【０１５７】
次に、原画像の情報のうち、文字データ及び画像データのうちいずれか一方の情報を一部画像Ｓａとして選択する（Ｓ２４７）。
【０１５８】
また、表示モードが広告別途表示モードであれば、アプリケーション処理部６０で、表示モードが広告別途表示モードであることを判断し（Ｓ２４８）、メタデータＭＤの記述内容を解析し（Ｓ２４９）、特定の文字データ及び画像データが含まれていると認識する。
【０１５９】
次に、アプリケーション処理部６０で、原画像の情報のうち、特定の文字データ及び画像データを除いた情報を一部画像Ｓａとして選択する（Ｓ２５０）。
【０１６０】
また、表示モードがバー削除表示モードであれば、アプリケーション処理部６０で、表示モードがバー削除表示モードであることを判断し（Ｓ２５１）、全体画像Ｓｘのうち付加画像情報を除いた画像情報を一部画像Ｓａとして選択する（Ｓ２５２）。
【０１６１】
そして、アプリケーション処理部６０で、一部画像Ｓａを選択すると、次に、画像サイズ処理部４２で、一部画像Ｓａと全体画像Ｓｘの大きさとを比較して、一部画像Ｓａの画像情報を全体画像Ｓｘと同一又は異なるサイズの画像情報に変換する（Ｓ２５３）。
【０１６２】
以上の手順に従って、図１０に示すように、選択された一部画像Ｓａは、画像情報として投射部Ｌを介して画像として側壁の投影面Ｓ２に投影される（Ｓ１５）。
【０１６３】
次に、本発明に係る投影装置の第２実施形態について説明する。
【０１６４】
第２実施形態の説明では、上記実施形態の投影装置Ａと異なる構成を中心に説明することとし、共通の構成については同一の符号を付し、その説明を省略することとする。
【０１６５】
図２０に示すように、第２実施形態の投影装置Ｋは、投影距離の情報を使用者が設定入力するための距離情報入力部５１を制御パネルＰ内に有している点で、上記実施形態と異なっている。
【０１６６】
距離情報入力部５１は、使用者が投影装置Ｋから投影面Ｓまでの距離を直接入力した値を距離情報として距離情報取得部３８へ送る。距離情報取得部３８は、距離情報入力部５１に入力された距離情報を投影距離Ｄとして、制御部Ｕの記憶部Ｍに記憶させる。
【０１６７】
画像情報選択部４１は、使用者が直接入力した投影距離Ｄ及び投影装置の推奨範囲Ｒａを制御部Ｕに備えた記憶部Ｍから読み取る。そして、画像情報選択部４１は、投影距離Ｄが推奨範囲Ｒａ外であると判断した場合には、一部画像Ｓａを選択し、画像情報として投射部Ｌを介して投影面Ｓに画像を投影する。
【０１６８】
こうして投影面Ｓに投影された画像が、使用者にとって好ましい画像でなければ、使用者は、距離情報入力部５１に、投影距離Ｄとしての入力値を変更して入力することで最適な画像を得ることができる。例えば、図２１に示すように、側壁の投影面Ｓ２に投影された一部画像Ｓａが、使用者にとって見づらい画像であれば、距離情報入力部５１への入力値を変更し、一部画像Ｓａとはサイズが異なる画像Ｓｂへと順次変更することで最適な画像を得ることができる。
【０１６９】
以上のような、第２実施形態の投影装置ＫでスクリーンＳに映像を投射する場合の動作を、図２２のフローチャートを参照しつつ説明する。なお、以下、投影装置Ａ外部から映像信号ＩＭを取得した場合について説明するが、投影装置Ａ外部の通信ネットワークからメタデータ等を原画像の情報として取得した場合にも同様の効果を得ることができるので、ここでは説明を省略する。また、図１１、図１２と共通の処理については、説明を省略する。
【０１７０】
投影装置Ｋの電源スイッチがオンにされると、まず、距離情報入力部５１が数値入力待ちとなるので、使用者が数値を入力すると、入力された値が距離情報Ｄとして取得される（Ｓ３１）。
【０１７１】
投影距離Ｄを取得すると、画像情報選択部４１で、投影距離Ｄが投影装置Ｋの推奨範囲Ｒａ内にあるか否かを判断する（Ｓ３２）。
【０１７２】
判断の結果、投影距離Ｄが投影装置Ａの推奨範囲Ｒａ内にある場合、画像情報選択部４１で、全体画像Ｓｘを選択する（Ｓ３４）。
【０１７３】
選択された全体画像Ｓｘは、画像情報として投射部Ｌを介して画像として投影面Ｓに投影される（Ｓ３５）。
【０１７４】
判断の結果、投影距離Ｄが投影装置Ａの推奨範囲Ｒａ外にある場合、すなわち、投影装置本体１を側壁面投射の位置に設定変更し、側壁の投影面Ｓ２に画像を投射した場合、画像情報選択部４１により、一部画像Ｓａを選択する（Ｓ３３）。
【０１７５】
画像情報選択部４１により、一部画像Ｓａを選択する手順は、図１２を用いて説明したので、ここでは説明を省略する。
【０１７６】
選択された一部画像Ｓａは、画像情報として投射部Ｌを介して画像として投影面Ｓに投影される（Ｓ３５）。
【０１７７】
また、以下の点については、上記２つの実施形態の投影装置Ａ、Ｋのいずれにも適用することができる。
【０１７８】
上記実施形態では、図５に示すように、投影距離Ｄが推奨範囲Ｒａの最小値Ｒａｍｉｎよりも大きい場合について説明したが、以下、投影距離Ｄが推奨範囲Ｒａの最小値Ｒａｍｉｎよりも小さい場合も想定される。
【０１７９】
かかる場合には、投影面Ｓに投影される画像は、投影距離Ｄが小さくなることで、焦点が合わなくなるため、使用者にとって極めて見づらくなる。
【０１８０】
そこで、画像情報選択部４１は、図２３に示すように、全体画像Ｓｘを構成するｎ×ｍ画素の画像領域の画像領域のうち、偶数ライン又は奇数ラインの画像情報を、一部画像Ｓａとして選択するようにしても良い。
【０１８１】
例えば、図２３に示すように、全体画像Ｓｘが、Ｈ（１）からＨ（ｍ）までの水平画素ラインとＶ（１）からＶ（ｎ）までの垂直画素ラインから構成されるとする。かかる場合に、画像情報選択部４１は、ｍ及びｎを共に偶数とするライン、即ち、図２３において黒く塗り潰した領域の画素のみを取り出し一部画像Ｓａとして選択することにより、投影面Ｓに投影される画像の輝度や彩度を、使用者にとって見やすいレベルに抑えることができる。また、画像情報選択部４１は、全体画像Ｓｘのうち一部画像Ｓａとして選択した以外の部分を輝度０とする画像処理ができるように構成しても良い。
【０１８２】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【図面の簡単な説明】
【０１８３】
【図１】本発明の一実施形態におけるＤＬＰ投影装置の外観構成図である。
【図２】投影装置の投射方向を説明するための図である。
【図３】投影装置Ａの内部概略構成を示す図である。
【図４】投影装置Ａにおける距離情報検出部による距離情報検出を説明するための図である。
【図５】投影装置Ａの投影距離ＤとスクリーンＳとの位置関係を模式的に示した図である
【図６】投影装置Ａの入力部２０に映像信号ＩＭが入力された場合の全体画像Ｓｘを示す図である。
【図７】投影装置Ａの入力部２０にメタデータＭＤ及び画像データＩＤが入力された場合の全体画像Ｓｘを示す図である。
【図８】投影装置Ａの分割表示モードについて説明するための図である。
【図９】投影装置Ａの領域指定表示モードについて説明するための図である。
【図１０】投影装置Ａの動作を説明するためのフローチャート図である。
【図１１】一部画像Ｓａを選択する手順を説明するためのフローチャート図である。
【図１２】原画像の情報に含まれるメタデータＭＤを記述したＨＴＭＬファイル「Ｍａｉｎ．ｈｔｍｌ」を示す図である。
【図１３】投影装置Ａのフレーム選択表示モードについて説明するための図である。
【図１４】ＨＴＭＬファイル「Ｍａｉｎ．ｈｔｍｌ」において呼び出されたＨＴＭＬファイル「ｆｒａｍｅ１．ｈｔｍｌ」を示す図である。
【図１５】投影装置Ａの画像／文字選択表示モードについて説明するための図である。
【図１６】フレームＦ１内の文章Ｃ１に対する文字データだけを表示した状態を示す図である。
【図１７】投影装置Ａの広告別途表示モードについて説明するための図である。
【図１８】投影装置Ａのバー削除表示モードについて説明するための図である。
【図１９】一部画像Ｓａを選択する手順を説明するためのフローチャート図である。
【図２０】第２実施形態に係る投影装置Ｋの内部概略構成を示す図である。
【図２１】第２実施形態に係る投影装置Ｋを示す図である。
【図２２】第２実施形態に係る投影装置Ｋの動作を説明するためのフローチャート図である。
【図２３】全体画像Ｓｘを構成するｎ×ｍ画素の画像領域の画像領域のうち、偶数ライン又は奇数ラインの画像情報を、一部画像Ｓａとして選択した状態を示す図である。
【符号の説明】
【０１８４】
１    投影装置本体
２    支持部
１０  投影装置本体の筐体
１１  出射口
２０  入力部
２１  距離情報検出部
３０  ランプ
３１  照明光学系
３２  光変調素子
３３  結像光学系
３５  画像処理回路
３６  光変調素子ドライブ回路
３７  ランプ駆動回路
３８  距離情報取得部
４０  距離センサ
４１  画像情報選択部
４２  画像サイズ処理部
４３  画像付加部
４５  通信インターフェース
４６  映像信号入力手段
５０  投影画像範囲指定部
５１  距離情報入力部
６０  アプリケーション処理部
Ａ    投影装置
Ｋ    第２実施形態に係る投影装置
Ｌ    投射部
Ｍ    記憶部
Ｐ    制御パネル
Ｕ    制御部
【図１】
2007274522.tif 000003
【図２】
2007274522.tif 000004
【図３】
2007274522.tif 000005
【図４】
2007274522.tif 000006
【図５】
2007274522.tif 000007
【図６】
2007274522.tif 000008
【図７】
2007274522.tif 000009
【図８】
2007274522.tif 000010
【図９】
2007274522.tif 000011
【図１０】
2007274522.tif 000012
【図１１】
2007274522.tif 000013
【図１２】
2007274522.tif 000014
【図１３】
2007274522.tif 000015
【図１４】
2007274522.tif 000016
【図１５】
2007274522.tif 000017
【図１６】
2007274522.tif 000018
【図１７】
2007274522.tif 000019
【図１８】
2007274522.tif 000020
【図１９】
2007274522.tif 000021
【図２０】
2007274522.tif 000022
【図２１】
2007274522.tif 000023
【図２２】
2007274522.tif 000024
【図２３】
2007274522.tif 000025